(57)【特許請求の範囲】
【請求項１】
取り出された後すぐに膨張する合成物質から成る中空製品（１）または凹型有する製品のため、二つの型部分（１２、１４）と該二つの型部分によって囲まれる単一部分から成る中子（１８）とを備え、該型部分（１２、１４）および該中子（１８）が、該合成物質を射出成形するための充填溝により提供された空間（１３、１５）を取り囲む鋳型において、該中子（１８）が、支持部（２０）を備え、該支持部（２０）は、該二つの型部分（１２、１４）が閉じた場合、該二つの型部分（１２、１４）の両方に接触し、
該支持部（２０）は、１つ以上の案内柱（２２、２４）によって保持され、
該１つ以上の圧縮バネ（２８、３０）が、該型部分（１４）の１つにおいて配置され、該型部分（１２）および該コア（１８）において保持され、その結果、該コア（１８）は、該型部分（１２，１４）が開いたとき、該１つ以上の案内柱（２２，２４）に沿って、該型部分（１２，１４）の各々から外側に向かって移動可能であることを特徴とする鋳型。
【請求項２】
前記１つ以上の案内柱（２２、２４）が、前記型部分（１４）と堅く接続され、前記支持部（２０）の１つ以上の貫通孔（３１、３２）を介して、別の前記型部分（１２）の１つ以上の開口（３３、３４）を通り、前記１つ以上の圧縮バネ（２８、３０）が該１つ以上の案内柱（２２、２４）と同軸に配置されることを特徴とする請求項１に記載の鋳型。
【請求項３】
前記１つ以上の案内柱（２２、２４）の自由端に、該１つ以上の案内柱（２２，２４）に沿った前記中子（１８）の可能な最大動作距離を定義し、該１つ以上の案内柱（２２、２４）の自由端に面した前記型部分（１２）の前記１つ以上の開口（３３、３４）に入り込む１つ以上の端部ストッパー（３５、３６）が備えられていることを特徴とする請求項１または２に記載の鋳型。
【請求項４】
前記１つ以上の案内柱（２２，２４）は、支持部（２０）を通過する２つの案内柱（２２，２４）であり、前記１つ以上の圧縮バネ（２８，３０）は、２つの圧縮バネ（２８，３０）であることを特徴とする請求項１〜３のいずれか一項に記載の鋳型。
【請求項５】
前記中子（１８）が、それ自体から突起した１つ以上の突出部（３９、４０）を備え、該突出部は中空間（１３、１５）を前記２つの型部分（１２、１４）に架かるように突出することを特徴とする請求項１〜４のいずれか一項に記載の鋳型。
【請求項６】
前記１つ以上の突出部（３９、４０）の放射方向最大の延びが、膨張した製品の内寸法よりも大きくならないことを特徴とする請求項５に記載の鋳型。
【請求項７】
前記１つ以上の突出部（３９、４０）が、前記型部分（１２、１４）の間の凹部（４１、４２）に押し込むことができるように形成されることを特徴とする請求項５に記載の鋳型。
【請求項８】
請求項１〜７のいずれか一項に記載の鋳型に膨張可能な材料を注入することによって成形された靴。
【発明の詳細な説明】
【０００１】
【発明が属する技術分野】
本発明は、中空製品または、下切取部分を備え、取り出された後にすぐ膨張する合成物質から成る製品を鋳造形成するための鋳型に関するものであり、鋳型は二つの型部分とそれによって囲まれた単一部分の中子を備え、型部分と中子は、合成物質を射出成形するため、充填溝を備えた空間を取り囲む。更に本発明は、その様な鋳型を利用した使用方法に関するものである。
【０００２】
【従来の技術】
従来技術の鋳型は、欧州特許明細書 EP 0 002 311 の図６及び図７であり、その記載中で僅かに説明されている。その鋳型は、下切取部分のある車両連結部の幌を製造するのに使われる。鋳型は、中子を囲む二つの形成部分から成っている。その記載では、鋳型を開けた後、それに入っている材料がすぐに膨張して、中子から解放される。
【０００３】
その様な膨らむ合成物質、特にEVA（Ethylen/Vinylacetat-Copolymer）は、最近ではしばしば様々な品物、例えば靴底に使用されている。EVA材料は、閉じた細胞を有する重合化海綿状プラスティックであり、それは防水で、有毒ではなく、良好な技術的特性を有する様々な技術で、染色可能な製品を生産させる。それらの製品は、殆どが射出成形によって形成される。射出成形の後、材料は鋳型を開けると、ほぼすぐに20％〜80％膨張する。ゆえに製品がすぐに取り出され、それによって製品が均等に膨張するが、型部分に接触することによって変形ができないようになっている。現在市場にあるEVA製の製品は、中空間と下切取部分のない比較的簡単な型、例えば靴底のことである。
【０００４】
また例えばポリウレタン、熱プラスチック及びPVCの様な、別の合成物質から成る一部の履き物が知られている。しかしその様な履き物は、EVAで得られるような有利な特徴がない。
【０００５】
【発明が解決しようとする課題】
本発明の課題は、従来技術の鋳型よる中空製品または下切取部分を備えた製品、特に靴底と靴甲を備えた履き物の製造を改善することであり、その際に製品が膨らんで取り出された後にすぐ製品が変形する危険性を減らし、射出成形を単一の射出工程で行えるようにすることである。更に鋳型の有利な使用法を示す必要がある。
【０００６】
【課題を解決するための手段】
第一の課題は、本発明によると支持部を備えた中子が、型の内側で両方の型部分に密接し、型が開くと支持部は各型部分から外方へ移動可能な案内柱で支持され、型部分には型部分と中子とに支えられる圧縮バネが配置される。
【０００７】
【本発明の実施の形態】
その様な鋳型の場合、開けるためには一方の型部分を別の型部分から持ち上げるのに利用する。射出成形により作られた製品によって囲まれた状態の中子は、圧縮バネによって即刻両方の型部分の外方に支えられ、型部分の伸張部分が、鋳型の外側で、型部分と接触して変形する危険性なく取り除けるようにする。ゆえに本発明によって価値の高い、また中空間と下切取部分を備えたEVA製の製品、例えば靴、バッグまたは書類鞄が、変形することなく製造することができる。
【０００８】
しばしば靴の靴甲が、足の通気を良好にするため、貫通孔を備える必要がある。今まで、靴甲に貫通孔を備えたその様な靴は、単に複雑な鋳型で製造され得、鋳型は望ましい孔と一致する直径のピンを備えるを備える。そのピンは、射出成型の前に鋳型に組み込まれ、型にある靴が取り出される前に再び取り出さなければならない。しかしそれは製造コストが高くなるので望ましくない。素早く泡立ち且つ、取り出した後に膨らむ材料を使用する場合、既知の鋳型では、貫通孔を備えた靴を製造するには不利である。本発明の有利な別の形態によると、中子がそれ自体から出っ張って、両方の鋳型部分の中空間に架かるような突出部を備えると、側方貫通孔を備えた靴あるいは別の製品を、本発明による鋳型によって、簡単で早く且つ適価な技術で製造することができる。
【０００９】
突出部の放射状最大の延びが、膨らんだ製品の内寸法よりも大きくなければ、膨らんだ靴を取り出すことは非常に簡単である。
【００１０】
鋳型は、閉じられた鋳型において側方凹部に突出部が挟み込むことができるようになっていると、簡単に形成される。
【００１１】
第二の課題、すなわち本発明による鋳型の有利な使用方法は、明らかにEVA材料製の中空製品を射出成形するための鋳型を使用することである。
【００１２】
【実施例】
本発明には様々な実施形態がある。その根本原理を更に明確にするため、以下の図面を参照して説明する。
【００１３】
図１は、例えば浜辺で使われるような靴１を示しており、木靴の形で、靴底２と靴甲３により一体型に形成されている。
【００１４】
靴１を製造するため、図２及び図３に示した鋳型１０が利用される。その鋳型は図示していないが、加圧器の下方型フレームに取り付けることができる下方型部分１２を有している。そして加圧器の上方型フレームには、鋳型１０の上方型部分１４が取り付けられている。型部分１２、１４の間には、中子要素１６が配置している。
【００１５】
図３のように、下方型部分１２が中空間１３を有し、上方型部分１４が中空間１５を有することを示している。中子要素１６は、靴１に詰められる中子１８と後方支持部２０有している。
【００１６】
上方部分１４には、二つの案内柱２２、２４が垂直に合わせて配置し、上方型部分１４の受容部２６、２７に、ネジ２３、２５によって固定されている。各案内柱２２、２４が各々圧縮バネ２８、３０と同軸に配置されており、圧縮バネは一方で型部分１４の肩部２６′または２７′に、他方で中子要素１６の支持部２０の上側に支持している。案内柱２２、２４が、支持部２０の貫通孔３１、３２を介して延び、鋳型１０が閉じた状態では、各々が下方型部分１２の開口３３、３４に入り込む。そこでは各案内柱が、各案内柱２２、２４の下面に各ネジ３７、３８によって固定されている端部ストッパー３５、３６で終端している。
【００１７】
図２に示されている閉じた位置になるように、加圧器が上方型部分１４を支持部２０に押し、またそれによって支持部２０を下方型部分１２に押し、その際圧縮バネ２８、３０が共に押される。下方型部分１２の中空間１３と上方中空間１５の一部と中子１８とが空間を作り、空間が圧力下で射出され、靴１を形成する合成物質を受容するように作用し、また中子は実質的に型空間を形成する。図面には、材料を鋳型１０に案内するため必要な射出成形の溝が示されていないが、普通は配置構成されている。
【００１８】
射出成形段階の後、上部に示されてないが、上方型部分１４を備えた型フレームがすぐに下方型部分１２から取り外される。その際、案内柱２２、２４が同時に、開口３３、３４から上方へ移動する。同時に圧縮バネ２８、３０が、中子要素１６を下方へ押す。それによって、中子要素１６が中空間１５から取り出される。型部分１４を更に持ち上げると、端部ストッパー３５、３６が、中子要素１６の支持部２０を下方から支えて、中子要素が下方型部分１２の孔空間１３から上げられる。この動作を組み合わせて、それらの部分が図２に示された位置からすぐに、図３に示された位置に取り出される。そうすると靴１が自由になって膨張し、結局中子１８から簡単に取り除かれる。
【００１９】
図４は靴４を示しており、その側面に靴甲の前部分に貫通孔５、６、７、８を有している。
【００２０】
図５は、中子１８の第二の実施形態であり、側面に貫通孔５、６、７、８の位置と一致した突出部３９、４０を有している。
【００２１】
図６は、再び下方型部分１２と鋳型１０の上方型部分１４を示している。それらの型部分は、この実施形態の場合、上方型部分１４と下方型部分１２との間の突出部３９、４０が、凹部４１、４２で挟み込むことができるように形成されている。
【００２２】
図７は、靴４が膨張した後の中子１８上の靴４を破線で示している。靴４は、中子１８よりもかなり大きく膨張して、突出部３９、４０は貫通孔５、９ではもはや食い込まず、靴を簡単に中子１８から取り除くことができる。
【図面の簡単な説明】
【図１】本発明による鋳型により製造された靴の側面図
【図２】靴を製造するため閉じた状態の鋳型の縦断面図
【図３】開けた状態の鋳型の縦断面図
【図４】図１とは別の本発明による鋳型によって製造された靴
【図５】鋳型における中子の第二実施形態の前部分の斜視図
【図６】鋳型の変形例の横断面図
【図７】既に膨張した靴と中子の横断面
【符号の説明】
１    靴
２    靴底
３    靴甲
４    貫通孔
５    貫通孔
６    貫通孔
７    貫通孔
８    貫通孔
９    貫通孔
１０  鋳型
１２  下方型部分
１３  中空間
１４  上方型部分
１５  中空間
１６  中子要素
１８  中子
２０  支持部
２２  案内柱
２３  ネジ
２４  案内柱
２５  ネジ
２６  受容部
２６′肩部
２７  受容部
２７′肩部
２８  圧縮バネ
３０  圧縮バネ
３１  貫通孔
３２  貫通孔
３３  開口
３４  開口
３５  端部ストッパー
３６  端部ストッパー
３７  ネジ
３８  ネジ
３９  突出部
４０  突出部
４１  凹部
４２  凹部
【図１】
0004961516.tif 000002
【図２】
0004961516.tif 000003
【図３】
0004961516.tif 000004
【図４】
0004961516.tif 000005
【図５】
0004961516.tif 000006
【図６】
0004961516.tif 000007
【図７】
0004961516.tif 000008